(57)【要約】【課題】先行技術における欠点を解消して使用者の快適なフィット感を改善すると共に、構造が簡単で製造コストを低減可能な、長さが調整可能なスポーツシューズ用インナーブーツを提供する。【解決手段】使用者の爪先及び足の前方部分を覆う前方部材（２）と、土踏まずから踵にかけての領域に延在する後方部材（６）とからなり、上記前方部材（２）は、不使用時にその長さが最大となる１つ以上の蛇腹状連結部材（１４）を介して上記後方部材（６）に連結されている。【選択図】図１
2007181677.tif 000002
【特許請求の範囲】
【請求項１】
使用者の爪先及び足の前方部分を覆う前方部材（２）と、土踏まずから踵にかけての領域に延在する後方部材（６）とを備えたスキーブーツ、インラインローラスケート靴、或いはアイススケート靴のような特にスポーツシューズ用のインナーブーツにおいて、
上記前方部材（２）は、解放状態で伸びが最大となる１つ以上の蛇腹状連結手段（１４）を介して上記後方部材（６）に連結されていることを特徴とするインナーブーツ。
【請求項２】
上記蛇腹状連結手段は、解放状態で伸びが最大となる蛇腹状帯体（１４）からなり、
上記蛇腹状帯体（１４）は、上記蛇腹状帯体（１４）を横断する方向の圧迫により収縮可能であることを特徴とする請求項１に記載のインナーブーツ。
【請求項３】
上記前方部材（２）は開口した箱状をなしており、第１前方湾曲部（３ａ）を有する第１底部（３）を備え、
上記第１底部（３）の第１後方直線部（３ｂ）を除く上記第１前方湾曲部（３ａ）からは、アーチ状の形状を有する第１カバー部材（４）が突設され、
上記第１カバー部材（４）の爪先とは反対側となる縁部には、２つの第１フラップ（５ａ，５ｂ）を有する開口（４ｂ）が形成され、
上記後方部材（６）は、第２前方直線部（７ａ）と第２後方部（７ｂ）とからなる周縁部を備えた第２底部（７）を備え、
上記第２後方部（７ｂ）から、上方及び前方に開口して２つの第２フラップ（１１ａ，１１ｂ）を画成する第２カバー部材（１０）が突設され、
上記第２フラップ（１１ａ，１１ｂ）は、互いにほぼ平行に離間して設けられ、
使用状態において上記第１カバー部材（４）の上記第１フラップ（５ａ，５ｂ）に向かう上記第２フラップ（１１ａ，１１ｂ）の第１直立縁部（１２ａ，１２ｂ）に、上記インナーブーツ（１）の内方に張り出して線状に延設された２つの受容部（１３ａ，１３ｂ）が上記第１直立縁部（１２ａ，１２ｂ）のほぼ全長にわたって設けられていることを特徴とする請求項１又は２に記載のインナーブーツ。
【請求項４】
上記蛇腹状帯体（１４）は、ほぼＵ字状に折り曲げられてほぼ平坦なベース部（１５）を画成し、上記ベース部（１５）の前後方向の端部は、上記第１底部（３）の上記第１後方直線部（３ｂ）と上記第２底部（７）の上記第２前方直線部（７ａ）とにそれぞれ連結されていることを特徴とする請求項３に記載のインナーブーツ。
【請求項５】
上記ベース部（１５）には、上記第２フラップ（１１ａ，１１ｂ）の上記受容部（１３ａ，１３ｂ）の外側縁部と上記第１カバー部材（４）の第２直立縁部（４ａ）とにそれぞれ連結された２つのウイング（１６ａ，１６ｂ）がほぼ垂直に設けられていることを特徴とする請求項４に記載のインナーブーツ。
【請求項６】
上記蛇腹状帯体（１４）は合成樹脂材料からなることを特徴とする請求項１乃至５のいずれかに記載のインナーブーツ。
【請求項７】
上記第１カバー部材（４）の上記第２直立縁部（４ａ）のそれぞれには、上記後方部材（６）の方向に向けて延在して上記受容部（１３ａ，１３ｂ）内に摺動可能にその一部が位置する２つの付属部材（１７ａ，１７ｂ）が装着又は突設されていることを特徴とする請求項１乃至６のいずれかに記載のインナーブーツ。
【請求項８】
柔軟な素材からなり、その端部が２つの上記第１フラップ（５ａ，５ｂ）近傍の領域において上記前方部材（２）に摺動可能に連結された小舌部（１９）を有することを特徴とする請求項１乃至７のいずれかに記載のインナーブーツ。
【請求項９】
爪先及び足の前側任意部分を支持する前方部材（１２３）と、
少なくとも１つの蛇腹状連結手段（１１４）を介して上記前方部材（１２３）が連結され、土踏まず及び踵を支持する後方部材（１２４）と
からなることを特徴とする履物用土踏まず支持部材。
【発明の詳細な説明】
【技術分野】
【０００１】
本発明は、スキーブーツ、インラインローラスケート靴、或いはアイススケート靴のような特にスポーツシューズ用の、長さが可変となるインナーブーツに関する。
【背景技術】
【０００２】
最近では、例えばより良好に使用者の肉体的特性に適合させるため、或いはサイズを変更可能として足の大きさが異なる複数の使用者が着用できるようにするために、シェルの長さが使用者によってわずかに変更できるようなスキーブーツやインラインローラスケート靴が用いられている。
このようなブーツ及びインラインスケート靴は、硬質材料もしくは半硬質材料からなるシェルを有するのが一般的であり、このシェルは、足の前方領域に延在する前方部材と、踵の領域に延在する隣接した後方部材とによって構成され、適切な調整手段を用いて使用者が前方部材と後方部材との間隔を変更することにより、シェルの長さを変更することができるようになっている。
【０００３】
一般的に、シェルには着脱可能なインナーブーツが組み合わされており、このインナーブーツは柔軟な素材からなり、使用者の快適なフィット感を増大させるようなっている。
サイズを変更しようとするときに生じる問題は、インナーブーツも変形することができなければならない点にある。
この点に関し、特許文献１には、長さを同様に変更可能なインナーブーツを有する、長さの変更が可能なインラインスケート靴が開示されている。このインナーブーツは、使用者の爪先をほぼ覆う前方部材と、土踏まずから踵にかけての領域に延在する後方部材とからなり、前方部材と後方部材とは弾性変形可能な素材からなる帯体によって互いに連結されている。
【０００４】
インナーブーツが解放状態にあるとき、帯体は変形せずに最も短い状態となっており、インナーブーツ及びシェルが最短となった状態に対応するものとなっている。
シェルの長さが変更され、最短の状態にあるインナーブーツの長さより大きくなった場合、帯体が変形可能であることによって、インナーブーツを使用者の足の様々なサイズに適合させることが可能となる。
【特許文献１】欧州特許出願公開第１０６６８６２号
【発明の開示】
【発明が解決しようとする課題】
【０００５】
しかしながら、このような公知のタイプのインナーブーツには欠点がある。即ち、弾性変形可能な素材からなる帯体は、変形していない状態に弾性的に戻ろうとして前方部材を後方部材の方に引きつけることにより使用者の足の先端部分を圧迫し、快適なフィット感を損なうことになる。
また、弾性変形可能な素材からなる帯体は、使用を重ねることにより弾性特性を失って永久的に変形したままとなるため、快適なフィット感が損なわれることになる。
【０００６】
本発明の意図するところは、伸縮を調整可能としたスポーツシューズ用インナーブーツを提供することにより先行技術における欠点を取り除いて上述の問題を解消し、使用者の快適なフィット感を改善することにある。
このような意図のもと、本発明の目的は、長さを変更可能な公知のスキーブーツ、ローラスケート靴、或いはアイススケート靴に対して使用可能なインナーブーツを提供することにある。
【０００７】
本発明のもう１つの目的は、構造が簡単で製造コストが低いインナーブーツを提供することにある。
【課題を解決するための手段】
【０００８】
このような意図及び目的、並びに以下において明らかとなる別の目的を達成するため、本発明のインナーブーツは、使用者の爪先及び足の前方部分を覆う前方部材と、土踏まずから踵にかけての領域に延在する後方部材とを備えたスキーブーツ、インラインローラスケート靴、或いはアイススケート靴のような、特にスポーツシューズ用のインナーブーツにおいて、上記前方部材は、解放状態で伸びが最大となる１つ以上の蛇腹状連結手段を介して上記後方部材に連結されていることを特徴とする。
【発明の効果】
【０００９】
本発明のインナーブーツは、公知のスキーブーツ、インラインローラスケート靴、或いはアイススケート靴のような長さを調整可能なスポーツシューズのシェル内に挿入することができる。
蛇腹状連結手段は解放状態で伸びが最大となり、蛇腹状連結手段の収縮によって、より短いシューズの中への挿入が可能となる。また、スポーツシューズのシェルを長くすることにより、蛇腹状連結手段は解放状態における長さに戻ろうとし、インナーブーツの伸張を可能とする。
【００１０】
従って、使用者に極めて快適なフィット感を確保しながら、長さが可変のスキーブーツやスケート靴と共に使用可能なインナーブーツを提供することができる。
また、解放状態で伸びが最大となるようにしたインナーブーツは、使用者の足を圧迫することなく使用者の足に適合し、公知の伸張可能な形式のインナーブーツに比べ、快適なフィット感を増すことができる。
【００１１】
更に、蛇腹状連結部材は、インナーブーツが短縮された状態にあるときに、それ自体が収縮し、使用者の足に対して突出しないようにできるので、より良好な快適性を確保することが可能となる。
また、本発明に係るインナーブーツの製造コストは、インナーブーツが製造及び／又は組立の容易な部材のみによって得られるものであることから、低く維持することが可能である。
【発明を実施するための最良の形態】
【００１２】
本発明の更なる特徴及び利点は、限定されない実施例により添付の図面に示された、限定的ではない好ましい実施形態についての以下の詳細な説明からより明らかとなる。
以下の実施形態において、特定の実施形態に関連する個々の特徴は、別の実施形態に存在する別の特徴と置き換えることが可能である。
また、特許手続の間に公知であることが判明したものは、いずれも特許請求されることを意図するものではなく、特許請求の範囲から排除されるべきものである。
【００１３】
図面において参照番号１は、添付図面には示されないスキーブーツ、インラインローラスケート靴、或いはアイススケート靴のような、特にスポーツシューズ用のインナーブーツを示す。
インナーブーツ１は、使用者の爪先及び足の前方部分を覆う前方部材２を備えている。
前方部材２は、好ましくは柔軟な素材で形成され、開口を有した箱状をなしており、ほぼ平坦で平面視にてほぼ半円形をなす第１底部３を有している。この第１底部３には、使用時に使用者の爪先及び足の前方部分が載置されるようになっており、第１前方湾曲部３ａを有する第１底部３の周縁部からは、第１後方直線部３ｂを除く部分に第１カバー部材４が突設されている。この第１カバー部材４はアーチ状の形状を有しており、使用時に使用者の爪先及び足の前方部分を覆うようになっている。
【００１４】
第１カバー部材４は、爪先部分とは反対側となる周縁部に、インナーブーツ１の中間前後軸線にほぼ沿った開口４ｂを有するのが有利であり、この開口４ｂは、参照符号５ａ及び５ｂによって示された互いに対向すると共に離間するのが有利な２つの第１フラップを形成している。
また、インナーブーツ１は、柔軟な素材で形成されると共に開口を有した箱状の後方部材６を備える。この後方部材６は土踏まず及び踵の領域に配設されており、踵の領域の部分は、使用者の頸骨の後部を部分的にくるむように延設されている。このような後方部材６には、ほぼ平坦に形成されて周縁部が丸い形状をなし、使用時に使用者の踵が載置される第２底部７が設けられている。
【００１５】
第２底部７の周縁部は、第２前方直線部７ａと、第２後方湾曲部７ｂとが設けられ、第２後方湾曲部７ｂの周縁部からは、踵の領域に配設され使用者の頸骨を部分的に後方でくるむように延設された第２カバー部材１０が突設されている。
第２カバー部材１０は、使用者が足を入れられるようにするため、上方及び前方に開口しており、互いにほぼ平行に離間して設けられて符号１１ａ及び１１ｂにより示された２つの第２フラップを有している。
【００１６】
使用状態において、第１カバー部材４の第１フラップ５ａ及び５ｂと対向する第２フラップ１１ａ及び１１ｂの第１直立縁部１２ａ及び１２ｂには、インナーブーツ１の内方に張り出して線状に延設された、符号１３ａ及び１３ｂで示される２つの受容部が、第１直立縁部１２ａ及び１２ｂのほぼ全長にわたって設けられている。
後方部材６は、解放状態において伸びが最大となる１つ以上の蛇腹状連結手段を用いて前方部材２に連結されている。
【００１７】
上記蛇腹状連結部材は、解放状態において伸びが最大となる蛇腹状帯体１４を備え、この蛇腹状帯体１４は、その横断方向に作用する圧迫により圧縮されて小さくなるようになっている。
蛇腹状帯体１４は、ほぼ平坦なベース部１５を画成するようにほぼＵ字状に折り曲げられて全体をＵ字状とするのが有利であり、ベース部１５の前後方向両端部は、第１底部３の第１後方直線部３ｂ及び第２底部７の第２前方直線部７ａにそれぞれ結合されている。
【００１８】
ベース部１５には、符号１６ａ及び１６ｂで示された２つのウイング部材がほぼ垂直に設けられており、これらのウイング部材１６ａ及び１６ｂは、第２カバー部材１０の第２フラップ１１ａ及び１１ｂに設けられた受容部１３ａ及び１３ｂの外側縁部と、第１カバー部材４の第２直立縁部４ａとに連結されている。
蛇腹状帯体１４は合成樹脂材料によって形成されるのが有利である。
【００１９】
第１カバー部材４の第２直立縁部４ａのそれぞれに対し、符号１７ａ及び１７ｂで示された２つの付属部材を装着（もしくは突設）するのが有利であり、これら付属部材１７ａ及び１７ｂは、後方部材６に向けて延設されると共に、受容部１３ａ及び１３ｂ内に摺動可能にその一部が位置している。
インナーブーツ１は、２つの第１フラップ５ａ及び５ｂに近接した領域において端部が前方部材２に摺動可能に連結されて柔軟な素材で形成された小舌部１９を備えるのが有利である。
【００２０】
小舌部１９の位置は適切なガイド手段を用い、使用者が調整できるようになっていてもよく、好ましくは第１フラップ５ａ及び５ｂが接続される領域の近傍において第１カバー部材４の上面に端部が連結された小帯体２０によってガイド手段を構成するのが有利である。
小帯体２０と第１カバー部材４との間には、小舌部１９の低い方の端部２１が摺動可能に連結されており、端部２１は抜き取られないように小帯体２０に係合するため、平面視においてほぼＴ字状をなしている。
【００２１】
本発明の作用効果は以下のようになる。図面を参照すると、インナーブーツ１は、図示しない公知のスキーブーツ、インラインローラスケート靴、或いはアイススケート靴のような長さを調整可能なスポーツシューズのシェル内に挿入することができる。
上述したように、蛇腹状帯体１４は解放状態で伸びが最大となり、蛇腹状帯体１４の収縮によって、より短いシューズの中への挿入が可能となる。
【００２２】
スキーブーツやスケート靴のシェルを長くすることにより、蛇腹状帯体１４は解放状態における長さに戻ろうとし、本発明に係るインナーブーツ１の伸張を可能とする。
また、小舌部１９の自由端を単純に引っ張ってその位置を変更することにより、小舌部１９の低い方の端部２１が小帯体２０と第１カバー部材４との間を摺動するようにしても良い。
【００２３】
このように、その長さを変更可能とし、使用者に極めて快適なフィット感を確保しながら、長さが可変のスキーブーツやスケート靴と共に使用可能なインナーブーツを提供することにより、本発明がその意図及び目的を達成できることがわかる。
また、解放状態で伸びが最大となるようにした本発明に係るインナーブーツは、使用者の足を圧迫することなく使用者の足に適合し、公知の伸張可能な形式のインナーブーツに対して快適なフィット感を増すことができる。
【００２４】
また、蛇腹状帯体は、インナーブーツが短縮された状態にあるときに、それ自体が収縮し、使用者の足に対して突出しないので、より良好な快適性を確保することができる。
また、本発明に係るインナーブーツの製造コストは、インナーブーツが製造及び／又は組立の容易な部材のみによって得られるものであることから、低く維持される。
本発明は、添付の特許請求の範囲内にある限りにおいて、様々な変更及び変形が可能であることは言うまでもない。
【００２５】
例えば、図１０には本発明に従って形成された履物用の土踏まず支持部材１２２が示されている。この土踏まず支持部材１２２は、爪先及び足の前方端部を支持する前方部材１２３と、例えば蛇腹状帯体１１４のような少なくとも１つの蛇腹状連結手段を用いて前方部材１２３に連結された、土踏まず及び踵を支持する後方部材１２４とを備えている。
従って、蛇腹状帯体１１４及び土踏まず支持部材１２２は、解放状態において伸びが最大となり、このような土踏まず支持部材１２２が、蛇腹状帯体１１４の収縮によって、より短い履物内に挿入されるようにしても良い。
【００２６】
本発明によるインナーブーツ１及び土踏まず支持部材１２２は、同じシューズに一緒に使用されるようにしても良い。
ここに使用されている用語は、示されている特性を有するものであることを実質的に意味するものであって、当業者に知られている通常の許容範囲を有するものである。
発明の個々の構成要素を定める寸法や使用される素材は、特定の要求に応じ、より適切なものとしても良い。
【００２７】
別の機能を実行する別の手段は、図示された実施形態にのみ存在するものではなく、図示されない様々な実施形態においても存在し得るものである。
有利なもの、適切なもの、或いは類似するものとして示された特徴は、存在しなくても良いし、均等物によって代替されても良い。
【図面の簡単な説明】
【００２８】
【図１】本発明に係るインナーブーツの斜視図である。
【図２】最大伸張状態にある場合の図１のインナーブーツの側面図である。
【図３】最小収縮状態にある場合の図１のインナーブーツの側面図である。
【図４】図１のインナーブーツの詳細を示す斜視図である。
【図５】横断面に沿うインナーブーツの断面図である。
【図６】付属物が示されない、図５と同様のインナーブーツの断面図である。
【図７】図１のインナーブーツを下方から見た斜視図である。
【図８】図１のインナーブーツにおける舌部を一使用状態で示す詳細図である。
【図９】図１のインナーブーツにおける舌部を図８とは別の使用状態で示す詳細図である。
【図１０】本発明に係るインナーブーツに組合せ可能な土踏まず支持部材の斜視図である。
【符号の説明】
【００２９】
１  インナーブーツ
２，１２３  前方部材
３  第１底部
３ａ  第１前方湾曲部
３ｂ  第１後方直線部
４  第１カバー部材
４ｂ  開口
５ａ，５ｂ  第１フラップ
６，１２４  後方部材
７ａ  第２前方直線部
７ｂ  第２後方湾曲部（第２後方部）
１０  第２カバー部材
１１ａ，１１ｂ  第２フラップ
１２ａ，１２ｂ  第１直立縁部
１３ａ，１３ｂ  受容部
１４，１１４  蛇腹状帯体（蛇腹状連結手段）
１５  ベース部
１６ａ，１６ｂ  ウイング
１７ａ，１７ｂ  付属部材
１９  小舌部
【図１】
2007181677.tif 000003
【図２】
2007181677.tif 000004
【図３】
2007181677.tif 000005
【図４】
2007181677.tif 000006
【図５】
2007181677.tif 000007
【図６】
2007181677.tif 000008
【図７】
2007181677.tif 000009
【図８】
2007181677.tif 000010
【図９】
2007181677.tif 000011
【図１０】
2007181677.tif 000012